(57)【要約】  簡易な構造で既設の建築物の窓等のガラス面に適用することができ、かつ、使用者が光線透過率を自由に調整することができる遮光装置を提供するため、ガラス面Ｇに沿って、ガラス面Ｇの対向する端縁に沿って配設した支軸３に、遮光シート１、２を重なり合うように架けて配設するとともに、遮光シート１、２を支軸３を介して相対移動させることにより、重なり合った遮光シート１、２を透過する光線の透過率が変化するようにする。
2012105007.tif 000002
【特許請求の範囲】
【請求項１】
ガラス面に沿って、該ガラス面の対向する端縁に沿って配設した支軸に、遮光シートを重なり合うように架けて配設するとともに、前記遮光シートを前記支軸を介して相対移動させることにより、重なり合った遮光シートを透過する光線の透過率が変化するようにしたことを特徴とする遮光装置。
【請求項２】
遮光シートが、遮光シートの移動方向に光線透過率を異ならせたものからなることを特徴とする請求項１記載の遮光装置。
【請求項３】
遮光シートが、遮光シートの移動方向に偏向方向が異なる２種類の偏向シートを配したものからなることを特徴とする請求項１記載の遮光装置。
【請求項４】
支軸を、ガラスを保持する枠部材の表面とガラス面の段差内に収容されるようにしてなることを特徴とする請求項１、２又は３記載の遮光装置。
【請求項５】
支軸の長さを調節可能にしたことを特徴とする請求項１、２、３又は４記載の遮光装置。
【発明の詳細な説明】
【技術分野】
【０００１】
本発明は、遮光装置に関し、建築物の窓等のガラス面に適用する遮光装置に関するものである。
【背景技術】
【０００２】
建築物の窓等のガラス面からの日射を遮る目的で、従来より、ブラインドやカーテンが用いられている。
また、冷房時の熱効率を高め、省エネルギ化を図るために、建築物の窓等のガラス面に光線透過率を調整した遮光フィルムを貼り付けることも行われている。
さらに、同様の目的で、建築物の窓等のガラス面に沿って、光線透過率を調整する構造部材を配設する方法も提案されている（例えば、特許文献１参照）。
【先行技術文献】
【特許文献】
【０００３】
【特許文献１】特開平９−２３５９５２号公報
【発明の概要】
【発明が解決しようとする課題】
【０００４】
このように、建築物の窓等のガラス面からの日射を遮る目的で、種々の方式の遮光装置が提案され、実用化されているが、簡易な構造で既設の建築物の窓等のガラス面に適用することができ、かつ、使用者が光線透過率を自由に調整することができるものは存在しなかった。【０００５】
本発明は、簡易な構造で既設の建築物の窓等のガラス面に適用することができ、かつ、使用者が光線透過率を自由に調整することができる遮光装置を提供することを目的とする。
【課題を解決するための手段】
【０００６】
上記目的を達成するため、本発明の遮光装置は、ガラス面に沿って、該ガラス面の対向する端縁に沿って配設した支軸に、遮光シートを重なり合うように架けて配設するとともに、前記遮光シートを前記支軸を介して相対移動させることにより、重なり合った遮光シートを透過する光線の透過率が変化するようにしたことを特徴とする。【０００７】
この場合において、遮光シートを、遮光シートの移動方向に光線透過率を異ならせたものや、遮光シートの移動方向に偏向方向が異なる２種類の偏向シートを配したものから構成することができる。【０００８】
また、支軸を、ガラスを保持する枠部材の表面とガラス面の段差内に収容されるように構成することができる。【０００９】
また、支軸の長さを調節可能に構成することができる。
【発明の効果】
【００１０】
本発明の遮光装置によれば、ガラス面に沿って、ガラス面に沿って、該ガラス面の対向する端縁に沿って配設した支軸に、遮光シートを重なり合うように架けて配設し、前記遮光シートを前記支軸を介して相対移動させるようにするという簡易な構造で既設の建築物の窓等のガラス面に適用することができ、かつ、遮光シートを相対移動させることにより、重なり合った遮光シートを透過する光線の透過率が変化するようにすることにより、使用者が光線透過率を自由に調整することができる。
特に、支軸を、ガラスを保持する枠部材の表面とガラス面の段差内に収容されるように構成することにより、引き違い窓に遮光装置を適用することができる。
また、支軸の長さを調節可能に構成することにより、種々の大きさのガラス面に対して、ユーザーが支軸の長さを調整して、この遮光装置を設置することができる。
【図面の簡単な説明】
【００１１】
【図１】本発明の遮光装置の一実施例を示す説明図である。
【図２】同遮光装置の詳細断面図で、（ａ）は側面断面図、（ｂ１）及び（ｂ２）は支軸部材の背面図、（ｃ）は支軸部材の変形例を示す背面図である。
【図３】本発明の遮光装置の変形実施例を示す詳細断面図である。
【図４】遮光シートの一例を示し、（ａ）は窓側の遮光シート、（ｂ）は室内側の遮光シート、（ｃ）は窓側の遮光シートと室内側の遮光シートとが重なり合った第１の状態の説明図、（ｄ）は同第２の状態の説明図である。
【図５】遮光シートの一例を示し、（ａ）は窓側の遮光シート、（ｂ）は室内側の遮光シート、（ｃ）は窓側の遮光シートと室内側の遮光シートとが重なり合った第１の状態の説明図、（ｄ）は同第２の状態の説明図である。
【図６】遮光シートの一例を示し、（ａ）は窓側の遮光シート、（ｂ）は室内側の遮光シート、（ｃ）は窓側の遮光シートと室内側の遮光シートとが重なり合った第１の状態の説明図、（ｄ）は同第２の状態の説明図である。
【図７】遮光シートの一例を示し、（ａ）は窓側の遮光シート、（ｂ）は室内側の遮光シート、（ｃ）は窓側の遮光シートと室内側の遮光シートとが重なり合った第１の状態の説明図、（ｄ）は同第２の状態の説明図である。
【図８】遮光シートの一例を示し、（ａ）は窓側の遮光シート、（ｂ）は室内側の遮光シート、（ｃ）は窓側の遮光シートと室内側の遮光シートとが重なり合った第１の状態の説明図、（ｄ）は同第２の状態の説明図である。
【発明を実施するための形態】
【００１２】
以下、本発明の遮光装置の実施の形態を、図面に基づいて説明する。
【００１３】
図１に、本発明の遮光装置の一実施例を示す。
この遮光装置は、建築物の引き違い窓Ｗのガラス面Ｇに適用したもので、ガラス面Ｇに沿って、ガラス面Ｇの対向する端縁に沿って配設した支軸３間に遮光シート１、２をループ状に架け渡すことによって重なり合うように配設するとともに、遮光シート１、２を相対移動させる（Ａ→Ｂ）ことにより、重なり合った遮光シート１、２を透過する光線の透過率が変化するようにしたものである。
ここで、重ねて配設するようにした窓側の遮光シート１及び室内側の遮光シート２は、接触して配設しても、間隔をあけて非接触で配設してもよい。
【００１４】
遮光シート１、２には、ポリエステル樹脂、ポリオレフィン樹脂、ポリ塩化ビニル樹脂、ポリ塩化ビニリデン樹脂、ポリアミド樹脂、ポリカーボネート樹脂、アクリル樹脂等の合成樹脂製のシートを好適に用いることができるが、このほか、織物、編物、不織布等の繊維性の布やこれと合成樹脂製のシートを組み合わせた複合素材を用いることができる。
【００１５】
この場合、遮光シート１、２の厚みは、支軸３間にループ状に架け渡すことができる可撓性を有するものである限りにおいて特に限定されるものではないが、０．０５〜数ｍｍ程度までの任意の厚みのものを用いることができるが、移動させて使用することから、ある程度の強度のある０．２〜１ｍｍ程度のものを用いることが好ましい。
【００１６】
フィルムには、粘着性や接着性を高めたり、印刷性を付与したり、耐摩耗性を高めるために、コロナ処理、プラズマ処理等の物理的処理、化学的処理、マット加工等の表面処理を施すことができる。
【００１７】
遮光シート１、２をループ状に架け渡すようにしてガラス面Ｇに沿って配設する支軸３を構成する支軸部材３１、３２は、本実施例においては、引き違い窓Ｗの上枠Ｆ１（又はその近傍のガラス面Ｇ。以下同じ。）に配設される上部支軸部材３１と、引き違い窓Ｗの下枠Ｆ２（又はその近傍のガラス面Ｇ。以下同じ。）に配設される下部支軸部材３２とで構成するようにしている。
【００１８】
支軸部材３１、３２には、特に限定されるものではないが、図２（ａ）、（ｂ１）及び（ｂ２）に示すように、引き違い窓Ｗの上枠Ｆ１又は下枠Ｆ２に粘着又は接着する固定片３１ａ、３２ａ、この固定片３１ａ、３２ａに配設した２本の軸片３１ｂ１、３１ｃ１、３２ｂ１、３２ｃ１及びこの軸片３１ｂ１、３１ｃ１、３２ｂ１、３２ｃ１間に架設される軸管３１ｂ２、３１ｃ２、３２ｂ２、３２ｃ２からなるものを好適に用いることができる。
【００１９】
ここで、支軸３を、実質的にガラスを保持する枠部材、すなわち、上枠Ｆ１又は下枠Ｆ２の表面とガラス面Ｇの段差ｄ内に収容されるように構成することができる。
これにより、引き違い窓Ｗにこの遮光装置を支障なく用いることができる。
【００２０】
また、軸管３１ｂ２、３１ｃ２、３２ｂ２、３２ｃ２は、任意の長さに切断することにより長さを調節可能にできる材料、例えば、剛性を有する合成樹脂製又はアルミニウム等の金属製の管部材を好適に用いることができる。
これにより、種々の大きさのガラス面Ｇに対して、ユーザーが軸管３１ｂ２、３１ｃ２、３２ｂ２、３２ｃ２、すなわち、支軸３の長さを調整して、この遮光装置を設置することができる。
【００２１】
なお、上部支軸部材３１（下部支軸部材３２も同様。以下同じ。）には、上記の構成のもののほか、図２（ｃ）に示すように、引き違い窓Ｗの上枠Ｆ１又は下枠Ｆ２に粘着又は接着する固定片３１ａ及びこの固定片３１ａに配設した２本の管状の軸片３１ｂ３、３１ｃ３又は軸状の軸片３１ｂ４、３１ｃ４からなるものを好適に用いることができる。
この上部支軸部材３１も、種々の大きさのガラス面Ｇに対して、ユーザーが支軸３の長さを調整して、この遮光装置を設置することができる。
【００２２】
なお、本実施例においては、支軸３を、２本１組の軸で構成したものを用いたが、遮光シート１、２をループ状に架け渡すようにしてガラス面Ｇに沿って配設することができるものである限りにおいて、例えば、１本の軸で構成することもできる。
【００２３】
また、支軸３を構成する軸は、当該軸にループ状に架け渡すようにした遮光シート１、２を円滑に相対移動させる（Ａ→Ｂ）ことができるものである限りにおいて、回転するものでも、固定のものでもよい。
【００２４】
また、支軸３を、本実施例においては、引き違い窓Ｗの上枠Ｆ１及び下枠Ｆ２に配設したが、引き違い窓Ｗの側枠Ｆ３、Ｆ４に配設するようにすることもできる。
【００２５】
また、図３（ａ）の本発明の遮光装置の変形実施例に示すように、支軸３を引き違い窓Ｗの上枠Ｆ１のみに配設し、この支軸３に遮光シート１、２を重なり合うように架けて配設するとともに、遮光シート１、２の下端を自由端とし、該自由端に、固定部材４としての錘４１ａ、４２ａを配設したり、図３（ｂ）に示すように、ガラス面Ｇに配設した磁石４０ｂに磁着する磁着材４１ｂ、４２ｂを配設する等、錘や磁石を用いて遮光シート１、２が風によって動かないように固定する構造を採用することもできる。
なお、遮光シート１、２の下端の固定方法は、上記のものに限定されず、例えば、引き違い窓Ｗの下枠Ｆ２に遮光シート１、２の下端を挟持することにより固定する固定部材（図示省略）を配設したり、遮光シート１、２の下端縁に沿って粘着テープを配設し、遮光シート１、２の下端縁とガラス面Ｇ又は下枠Ｆ２を仮着するようにする等、遮光シート１、２が風によって動かないように固定する任意の構造を採用することができる。
【００２６】
次に、遮光シート１、２を相対移動させる（Ａ→Ｂ）ことにより、重なり合った窓側の遮光シート１及び室内側の遮光シート２を透過する光線の透過率が変化する具体的な窓側の遮光シート１及び室内側の遮光シート２の組み合わせの態様について、図４〜図８を用いて説明する。
図４〜図８において、（ａ）は窓側の遮光シート１、（ｂ）は室内側の遮光シート２、（ｃ）は窓側の遮光シート１と室内側の遮光シート２とが重なり合った第１の状態Ａの説明図、（ｄ）は同遮光シート１、２を相対移動させた第２の状態Ｂの説明図である。
【００２７】
図４は、窓側の遮光シート１及び室内側の遮光シート２にそれぞれ等間隔の横縞形状（遮光シート１、２の移動方向に対して直交する方向の縞形状）の遮光部１１、２１を形成したものである。
遮光部１１、２１は、例えば、窓側の遮光シート１及び室内側の遮光シート２の基材の表面に、印刷、蒸着等を施すことにより形成することができる。
そして、遮光部１１、２１は、その光線透過率を適宜に設定することができ、例えば、遮光部１１、２１を形成していない部分の窓側の遮光シート１及び室内側の遮光シート２の光線透過率を１００％、遮光部１１、２１の光線透過率を８０％とし、遮光部１１、２１を形成していない部分と遮光部１１、２１の面積割合を５０％、５０％とすると、（ｃ）の第１の状態Ａでは、重なり合った窓側の遮光シート１及び室内側の遮光シート２を透過する光線の透過率（全体の透過率）は、
１×１／２＋（１−０．８）２×１／２＝５２％
となり、（ｄ）の第２の状態Ｂでは、重なり合った窓側の遮光シート１及び室内側の遮光シート２を透過する光線の透過率（全体の透過率）は、
１−０．８＝２０％
となる。
ちなみに、重なり合った窓側の遮光シート１及び室内側の遮光シート２を透過する光線の透過率（全体の透過率）は、遮光部１１、２１の光線透過率を５０％とすると、それぞれ、６２．５％、５０％となり、遮光部１１、２１の光線透過率を１００％とすると、それぞれ、５０％、０％となる。
【００２８】
図５は、窓側の遮光シート１及び室内側の遮光シート２にそれぞれ等間隔の鍵状の縞形状（遮光シート１、２の移動方向に対して直交する方向の鍵状の縞形状）の遮光部１１、２１を形成したものであり、図６は、窓側の遮光シート１及び室内側の遮光シート２にそれぞれ水玉形状の透光部（この場合、水玉形状の外側の部分が遮光部１１、２１となる。）を形成したものである。
【００２９】
このように、遮光部１１、２１の形状は任意の形状とすることができ、また、遮光部１１、２１の光線透過率や遮光部１１、２１を形成していない部分と遮光部１１、２１の面積割合も任意に設定することができる。
また、遮光シート１、２を相対移動させた第２の状態Ｂは、その移動量を調節することにより任意に設定することができ、重なり合った窓側の遮光シート１及び室内側の遮光シート２を透過する光線の透過率（全体の透過率）を広範囲に調整することができる。
【００３０】
図７は、窓側の遮光シート１及び室内側の遮光シート２に遮光シート１、２の移動方向に偏向方向が異なる２種類の偏向シート１２ａ、２２ａと偏向シート２１ｂ、２２ｂをそれぞれ等間隔に配したものを用いたものである。
この実施例のものは、（ｃ）の第１の状態Ａでは、窓側の遮光シート１及び室内側の遮光シート２の偏向方向が同じ偏向シート１２ａ、２２ａ、偏向シート２１ｂ、２２ｂが重なり合うため、重なり合った窓側の遮光シート１及び室内側の遮光シート２を光線が透過するのに対して、（ｄ）の第２の状態Ｂでは、窓側の遮光シート１及び室内側の遮光シート２の偏向方向が異なる偏向シート１２ａと偏向シート２２ｂ、偏向シート１２ｂと偏向シート２２ａが重なり合うため、重なり合った窓側の遮光シート１及び室内側の遮光シート２を光線が透過せず、遮光することができる。
【００３１】
図８は、遮光シート１、２にそれぞれ偏向方向が異なる２種類の偏向シート１２ａ、２２ａを用いたものである。
この実施例のものは、（ｃ）の第２の状態Ｂでは、偏向方向が同じ偏向シート１２ａ、２２ａが重なり合うため、重なり合った遮光シート１、２を光線が透過するのに対して、（ｄ）の第１の状態Ａでは、偏向方向が異なる偏向シート１２ａ、２２ａが重なり合うため、重なり合った遮光シート１、２を光線が透過せず、遮光することができる。
【００３２】
この遮光装置によれば、建築物の引き違い窓Ｗのガラス面Ｇに沿って、ガラス面Ｇの対向する端縁に沿って配設した支軸３に、遮光シート１、２を重なり合うように架けて配設するとともに、遮光シート１、２を相対移動させる（Ａ→Ｂ）ようにするという簡易な構造で既設の建築物の窓等のガラス面Ｇに適用することができ、かつ、遮光シート１、２を相対移動させる（Ａ→Ｂ）ことにより、重なり合った遮光シート１、２を透過する光線の透過率が変化するようにすることにより、使用者が光線透過率を自由に調整することができる。
【００３３】
特に、支軸３を、ガラスを保持する枠部材、すなわち、上枠Ｆ１又は下枠Ｆ２の表面とガラス面Ｇの段差ｄ内に収容されるように構成することにより、引き違い窓Ｗに遮光装置を適用することができる。
また、支軸３の長さを調節可能に構成することにより、種々の大きさのガラス面Ｇに対して、ユーザーが支軸３の長さを調整して、この遮光装置を設置することができる。
【００３４】
さらに、この遮光装置によれば、以下の付加的な作用効果を期待することができる。
（１）動力源を必要としないことから、電気工事等の大がかりな工事が不要で、既設の建築物の窓等のガラス面に適用することができる。
（２）操作が簡単で、使用者が光線透過率を自由にかつ、スピーディーに調整することができる。
（３）ガラス面Ｇに沿って配設される遮光シート１、２によって、断熱効果や結露の防止効果を期待できる。
【００３５】
以上、本発明の遮光装置について説明したが、本発明は上記実施の形態に記載した構成に限定されるものではなく、その趣旨を逸脱しない範囲において適宜その構成を変更することができるものである。
【産業上の利用可能性】
【００３６】
本発明の遮光装置は、簡易な構造で既設の建築物の窓等のガラス面に適用することができ、かつ、使用者が光線透過率を自由に調整することができるという特性を有していることから、建築物の窓等のガラス面に適用する遮光装置に広く用いることができる。
【符号の説明】
【００３７】
Ｗ    引き違い窓
Ｇ    ガラス面
１    窓側の遮光シート
１１  遮光部
１２ａ  偏向シート
１２ｂ  偏向シート
２    室内側の遮光シート
２１  遮光部
２２ａ  偏向シート
２２ｂ  偏向シート
３    支軸
３１  上部支軸部材
３２  下部支軸部材
４    固定部材
【図１】
2012105007.tif 000003
【図２】
2012105007.tif 000004
【図３】
2012105007.tif 000005
【図４】
2012105007.tif 000006
【図５】
2012105007.tif 000007
【図６】
2012105007.tif 000008
【図７】
2012105007.tif 000009
【図８】
2012105007.tif 000010
【手続補正書】
【提出日】平成25年5月22日(2013.5.22)
【手続補正１】
【補正対象書類名】明細書
【補正対象項目名】全文
【補正方法】変更
【補正の内容】
【発明の詳細な説明】
【技術分野】
【０００１】
本発明は、遮光装置に関し、建築物の窓等のガラス面に適用する遮光装置に関するものである。
【背景技術】
【０００２】
建築物の窓等のガラス面からの日射を遮る目的で、従来より、ブラインドやカーテンが用いられている。
また、冷房時の熱効率を高め、省エネルギ化を図るために、建築物の窓等のガラス面に光線透過率を調整した遮光フィルムを貼り付けることも行われている。
さらに、同様の目的で、建築物の窓等のガラス面に沿って、光線透過率を調整する構造部材を配設する方法も提案されている（例えば、特許文献１参照）。
【先行技術文献】
【特許文献】
【０００３】
【特許文献１】特開平９−２３５９５２号公報
【発明の概要】
【発明が解決しようとする課題】
【０００４】
このように、建築物の窓等のガラス面からの日射を遮る目的で、種々の方式の遮光装置が提案され、実用化されているが、簡易な構造で既設の建築物の窓等のガラス面に適用することができ、かつ、使用者が光線透過率を自由に調整することができるものは存在しなかった。
【０００５】
本発明は、簡易な構造で既設の建築物の窓等のガラス面に適用することができ、かつ、使用者が光線透過率を自由に調整することができる遮光装置を提供することを目的とする。
【課題を解決するための手段】
【０００６】
上記目的を達成するため、本発明の遮光装置は、引き違い窓のガラス面に沿って、該ガラス面の対向する端縁に沿って配設した支軸に、遮光シートを重なり合うように架けて配設するとともに、前記遮光シートを前記支軸を介して相対移動させることにより、重なり合った遮光シートを透過する光線の透過率が変化するようにした遮光装置であって、前記支軸を、ガラスを保持する枠部材の表面とガラス面の段差内に収容されるように配設してなることを特徴とする。
【０００７】
この場合において、支軸を備えた支軸部材を、該支軸部材に形成した固定片を引き違い窓の上枠及び／又は下枠に粘着又は接着することにより配設することができる。
【０００８】
また、遮光シートを、遮光シートの移動方向に光線透過率を異ならせたものや、遮光シートの移動方向に偏向方向が異なる２種類の偏向シートを配したものから構成することができる。
【０００９】
また、支軸の長さを調節可能に構成することができる。
【発明の効果】
【００１０】
本発明の遮光装置によれば、ガラス面に沿って、ガラス面に沿って、該ガラス面の対向する端縁に沿って配設した支軸に、遮光シートを重なり合うように架けて配設し、前記遮光シートを前記支軸を介して相対移動させるようにするという簡易な構造で既設の建築物の窓等のガラス面に適用することができ、かつ、遮光シートを相対移動させることにより、重なり合った遮光シートを透過する光線の透過率が変化するようにすることにより、使用者が光線透過率を自由に調整することができる。
特に、支軸を、ガラスを保持する枠部材の表面とガラス面の段差内に収容されるように構成することにより、引き違い窓に遮光装置を適用することができる。
また、支軸の長さを調節可能に構成することにより、種々の大きさのガラス面に対して、ユーザーが支軸の長さを調整して、この遮光装置を設置することができる。
【図面の簡単な説明】
【００１１】
【図１】本発明の遮光装置の一実施例を示す説明図である。
【図２】同遮光装置の詳細断面図で、（ａ）は側面断面図、（ｂ１）及び（ｂ２）は支軸部材の背面図、（ｃ）は支軸部材の変形例を示す背面図である。
【図３】本発明の遮光装置の変形実施例を示す詳細断面図である。
【図４】遮光シートの一例を示し、（ａ）は窓側の遮光シート、（ｂ）は室内側の遮光シート、（ｃ）は窓側の遮光シートと室内側の遮光シートとが重なり合った第１の状態の説明図、（ｄ）は同第２の状態の説明図である。
【図５】遮光シートの一例を示し、（ａ）は窓側の遮光シート、（ｂ）は室内側の遮光シート、（ｃ）は窓側の遮光シートと室内側の遮光シートとが重なり合った第１の状態の説明図、（ｄ）は同第２の状態の説明図である。
【図６】遮光シートの一例を示し、（ａ）は窓側の遮光シート、（ｂ）は室内側の遮光シート、（ｃ）は窓側の遮光シートと室内側の遮光シートとが重なり合った第１の状態の説明図、（ｄ）は同第２の状態の説明図である。
【図７】遮光シートの一例を示し、（ａ）は窓側の遮光シート、（ｂ）は室内側の遮光シート、（ｃ）は窓側の遮光シートと室内側の遮光シートとが重なり合った第１の状態の説明図、（ｄ）は同第２の状態の説明図である。
【図８】遮光シートの一例を示し、（ａ）は窓側の遮光シート、（ｂ）は室内側の遮光シート、（ｃ）は窓側の遮光シートと室内側の遮光シートとが重なり合った第１の状態の説明図、（ｄ）は同第２の状態の説明図である。
【発明を実施するための形態】
【００１２】
以下、本発明の遮光装置の実施の形態を、図面に基づいて説明する。
【００１３】
図１に、本発明の遮光装置の一実施例を示す。
この遮光装置は、建築物の引き違い窓Ｗのガラス面Ｇに適用したもので、ガラス面Ｇに沿って、ガラス面Ｇの対向する端縁に沿って配設した支軸３間に遮光シート１、２をループ状に架け渡すことによって重なり合うように配設するとともに、遮光シート１、２を相対移動させる（Ａ→Ｂ）ことにより、重なり合った遮光シート１、２を透過する光線の透過率が変化するようにしたものである。
ここで、重ねて配設するようにした窓側の遮光シート１及び室内側の遮光シート２は、接触して配設しても、間隔をあけて非接触で配設してもよい。
【００１４】
遮光シート１、２には、ポリエステル樹脂、ポリオレフィン樹脂、ポリ塩化ビニル樹脂、ポリ塩化ビニリデン樹脂、ポリアミド樹脂、ポリカーボネート樹脂、アクリル樹脂等の合成樹脂製のシートを好適に用いることができるが、このほか、織物、編物、不織布等の繊維性の布やこれと合成樹脂製のシートを組み合わせた複合素材を用いることができる。
【００１５】
この場合、遮光シート１、２の厚みは、支軸３間にループ状に架け渡すことができる可撓性を有するものである限りにおいて特に限定されるものではないが、０．０５〜数ｍｍ程度までの任意の厚みのものを用いることができるが、移動させて使用することから、ある程度の強度のある０．２〜１ｍｍ程度のものを用いることが好ましい。
【００１６】
フィルムには、粘着性や接着性を高めたり、印刷性を付与したり、耐摩耗性を高めるために、コロナ処理、プラズマ処理等の物理的処理、化学的処理、マット加工等の表面処理を施すことができる。
【００１７】
遮光シート１、２をループ状に架け渡すようにしてガラス面Ｇに沿って配設する支軸３を構成する支軸部材３１、３２は、本実施例においては、引き違い窓Ｗの上枠Ｆ１（又はその近傍のガラス面Ｇ。以下同じ。）に配設される上部支軸部材３１と、引き違い窓Ｗの下枠Ｆ２（又はその近傍のガラス面Ｇ。以下同じ。）に配設される下部支軸部材３２とで構成するようにしている。
【００１８】
支軸部材３１、３２には、特に限定されるものではないが、図２（ａ）、（ｂ１）及び（ｂ２）に示すように、引き違い窓Ｗの上枠Ｆ１又は下枠Ｆ２に粘着又は接着する固定片３１ａ、３２ａ、この固定片３１ａ、３２ａに配設した２本の軸片３１ｂ１、３１ｃ１、３２ｂ１、３２ｃ１及びこの軸片３１ｂ１、３１ｃ１、３２ｂ１、３２ｃ１間に架設される軸管３１ｂ２、３１ｃ２、３２ｂ２、３２ｃ２からなるものを好適に用いることができる。
【００１９】
ここで、支軸３を、実質的にガラスを保持する枠部材、すなわち、上枠Ｆ１又は下枠Ｆ２の表面とガラス面Ｇの段差ｄ内に収容されるように構成することができる。
これにより、引き違い窓Ｗにこの遮光装置を支障なく用いることができる。
【００２０】
また、軸管３１ｂ２、３１ｃ２、３２ｂ２、３２ｃ２は、任意の長さに切断することにより長さを調節可能にできる材料、例えば、剛性を有する合成樹脂製又はアルミニウム等の金属製の管部材を好適に用いることができる。
これにより、種々の大きさのガラス面Ｇに対して、ユーザーが軸管３１ｂ２、３１ｃ２、３２ｂ２、３２ｃ２、すなわち、支軸３の長さを調整して、この遮光装置を設置することができる。
【００２１】
なお、上部支軸部材３１（下部支軸部材３２も同様。以下同じ。）には、上記の構成のもののほか、図２（ｃ）に示すように、引き違い窓Ｗの上枠Ｆ１又は下枠Ｆ２に粘着又は接着する固定片３１ａ及びこの固定片３１ａに配設した２本の管状の軸片３１ｂ３、３１ｃ３又は軸状の軸片３１ｂ４、３１ｃ４からなるものを好適に用いることができる。
この上部支軸部材３１も、種々の大きさのガラス面Ｇに対して、ユーザーが支軸３の長さを調整して、この遮光装置を設置することができる。
【００２２】
なお、本実施例においては、支軸３を、２本１組の軸で構成したものを用いたが、遮光シート１、２をループ状に架け渡すようにしてガラス面Ｇに沿って配設することができるものである限りにおいて、例えば、１本の軸で構成することもできる。
【００２３】
また、支軸３を構成する軸は、当該軸にループ状に架け渡すようにした遮光シート１、２を円滑に相対移動させる（Ａ→Ｂ）ことができるものである限りにおいて、回転するものでも、固定のものでもよい。
【００２４】
また、支軸３を、本実施例においては、引き違い窓Ｗの上枠Ｆ１及び下枠Ｆ２に配設したが、引き違い窓Ｗの側枠Ｆ３、Ｆ４に配設するようにすることもできる。
【００２５】
また、図３（ａ）の本発明の遮光装置の変形実施例に示すように、支軸３を引き違い窓Ｗの上枠Ｆ１のみに配設し、この支軸３に遮光シート１、２を重なり合うように架けて配設するとともに、遮光シート１、２の下端を自由端とし、該自由端に、固定部材４としての錘４１ａ、４２ａを配設したり、図３（ｂ）に示すように、ガラス面Ｇに配設した磁石４０ｂに磁着する磁着材４１ｂ、４２ｂを配設する等、錘や磁石を用いて遮光シート１、２が風によって動かないように固定する構造を採用することもできる。
なお、遮光シート１、２の下端の固定方法は、上記のものに限定されず、例えば、引き違い窓Ｗの下枠Ｆ２に遮光シート１、２の下端を挟持することにより固定する固定部材（図示省略）を配設したり、遮光シート１、２の下端縁に沿って粘着テープを配設し、遮光シート１、２の下端縁とガラス面Ｇ又は下枠Ｆ２を仮着するようにする等、遮光シート１、２が風によって動かないように固定する任意の構造を採用することができる。
【００２６】
次に、遮光シート１、２を相対移動させる（Ａ→Ｂ）ことにより、重なり合った窓側の遮光シート１及び室内側の遮光シート２を透過する光線の透過率が変化する具体的な窓側の遮光シート１及び室内側の遮光シート２の組み合わせの態様について、図４〜図８を用いて説明する。
図４〜図８において、（ａ）は窓側の遮光シート１、（ｂ）は室内側の遮光シート２、（ｃ）は窓側の遮光シート１と室内側の遮光シート２とが重なり合った第１の状態Ａの説明図、（ｄ）は同遮光シート１、２を相対移動させた第２の状態Ｂの説明図である。
【００２７】
図４は、窓側の遮光シート１及び室内側の遮光シート２にそれぞれ等間隔の横縞形状（遮光シート１、２の移動方向に対して直交する方向の縞形状）の遮光部１１、２１を形成したものである。
遮光部１１、２１は、例えば、窓側の遮光シート１及び室内側の遮光シート２の基材の表面に、印刷、蒸着等を施すことにより形成することができる。
そして、遮光部１１、２１は、その光線透過率を適宜に設定することができ、例えば、遮光部１１、２１を形成していない部分の窓側の遮光シート１及び室内側の遮光シート２の光線透過率を１００％、遮光部１１、２１の光線透過率を８０％とし、遮光部１１、２１を形成していない部分と遮光部１１、２１の面積割合を５０％、５０％とすると、（ｃ）の第１の状態Ａでは、重なり合った窓側の遮光シート１及び室内側の遮光シート２を透過する光線の透過率（全体の透過率）は、
１×１／２＋（１−０．８）２×１／２＝５２％
となり、（ｄ）の第２の状態Ｂでは、重なり合った窓側の遮光シート１及び室内側の遮光シート２を透過する光線の透過率（全体の透過率）は、
１−０．８＝２０％
となる。
ちなみに、重なり合った窓側の遮光シート１及び室内側の遮光シート２を透過する光線の透過率（全体の透過率）は、遮光部１１、２１の光線透過率を５０％とすると、それぞれ、６２．５％、５０％となり、遮光部１１、２１の光線透過率を１００％とすると、それぞれ、５０％、０％となる。
【００２８】
図５は、窓側の遮光シート１及び室内側の遮光シート２にそれぞれ等間隔の鍵状の縞形状（遮光シート１、２の移動方向に対して直交する方向の鍵状の縞形状）の遮光部１１、２１を形成したものであり、図６は、窓側の遮光シート１及び室内側の遮光シート２にそれぞれ水玉形状の透光部（この場合、水玉形状の外側の部分が遮光部１１、２１となる。）を形成したものである。
【００２９】
このように、遮光部１１、２１の形状は任意の形状とすることができ、また、遮光部１１、２１の光線透過率や遮光部１１、２１を形成していない部分と遮光部１１、２１の面積割合も任意に設定することができる。
また、遮光シート１、２を相対移動させた第２の状態Ｂは、その移動量を調節することにより任意に設定することができ、重なり合った窓側の遮光シート１及び室内側の遮光シート２を透過する光線の透過率（全体の透過率）を広範囲に調整することができる。
【００３０】
図７は、窓側の遮光シート１及び室内側の遮光シート２に遮光シート１、２の移動方向に偏向方向が異なる２種類の偏向シート１２ａ、２２ａと偏向シート２１ｂ、２２ｂをそれぞれ等間隔に配したものを用いたものである。
この実施例のものは、（ｃ）の第１の状態Ａでは、窓側の遮光シート１及び室内側の遮光シート２の偏向方向が同じ偏向シート１２ａ、２２ａ、偏向シート２１ｂ、２２ｂが重なり合うため、重なり合った窓側の遮光シート１及び室内側の遮光シート２を光線が透過するのに対して、（ｄ）の第２の状態Ｂでは、窓側の遮光シート１及び室内側の遮光シート２の偏向方向が異なる偏向シート１２ａと偏向シート２２ｂ、偏向シート１２ｂと偏向シート２２ａが重なり合うため、重なり合った窓側の遮光シート１及び室内側の遮光シート２を光線が透過せず、遮光することができる。
【００３１】
図８は、遮光シート１、２にそれぞれ偏向方向が異なる２種類の偏向シート１２ａ、２２ａを用いたものである。
この実施例のものは、（ｃ）の第２の状態Ｂでは、偏向方向が同じ偏向シート１２ａ、２２ａが重なり合うため、重なり合った遮光シート１、２を光線が透過するのに対して、（ｄ）の第１の状態Ａでは、偏向方向が異なる偏向シート１２ａ、２２ａが重なり合うため、重なり合った遮光シート１、２を光線が透過せず、遮光することができる。
【００３２】
この遮光装置によれば、建築物の引き違い窓Ｗのガラス面Ｇに沿って、ガラス面Ｇの対向する端縁に沿って配設した支軸３に、遮光シート１、２を重なり合うように架けて配設するとともに、遮光シート１、２を相対移動させる（Ａ→Ｂ）ようにするという簡易な構造で既設の建築物の窓等のガラス面Ｇに適用することができ、かつ、遮光シート１、２を相対移動させる（Ａ→Ｂ）ことにより、重なり合った遮光シート１、２を透過する光線の透過率が変化するようにすることにより、使用者が光線透過率を自由に調整することができる。
【００３３】
特に、支軸３を、ガラスを保持する枠部材、すなわち、上枠Ｆ１又は下枠Ｆ２の表面とガラス面Ｇの段差ｄ内に収容されるように構成することにより、引き違い窓Ｗに遮光装置を適用することができる。
また、支軸３の長さを調節可能に構成することにより、種々の大きさのガラス面Ｇに対して、ユーザーが支軸３の長さを調整して、この遮光装置を設置することができる。
【００３４】
さらに、この遮光装置によれば、以下の付加的な作用効果を期待することができる。
（１）動力源を必要としないことから、電気工事等の大がかりな工事が不要で、既設の建築物の窓等のガラス面に適用することができる。
（２）操作が簡単で、使用者が光線透過率を自由にかつ、スピーディーに調整することができる。
（３）ガラス面Ｇに沿って配設される遮光シート１、２によって、断熱効果や結露の防止効果を期待できる。
【００３５】
以上、本発明の遮光装置について説明したが、本発明は上記実施の形態に記載した構成に限定されるものではなく、その趣旨を逸脱しない範囲において適宜その構成を変更することができるものである。
【産業上の利用可能性】
【００３６】
本発明の遮光装置は、簡易な構造で既設の建築物の窓等のガラス面に適用することができ、かつ、使用者が光線透過率を自由に調整することができるという特性を有していることから、建築物の窓等のガラス面に適用する遮光装置に広く用いることができる。
【符号の説明】
【００３７】
Ｗ    引き違い窓
Ｇ    ガラス面
１    窓側の遮光シート
１１  遮光部
１２ａ  偏向シート
１２ｂ  偏向シート
２    室内側の遮光シート
２１  遮光部
２２ａ  偏向シート
２２ｂ  偏向シート
３    支軸
３１  上部支軸部材
３２  下部支軸部材
４    固定部材
【手続補正２】
【補正対象書類名】特許請求の範囲
【補正対象項目名】全文
【補正方法】変更
【補正の内容】
【特許請求の範囲】
【請求項１】
引き違い窓のガラス面に沿って、該ガラス面の対向する端縁に沿って配設した支軸に、遮光シートを重なり合うように架けて配設するとともに、前記遮光シートを前記支軸を介して相対移動させることにより、重なり合った遮光シートを透過する光線の透過率が変化するようにした遮光装置であって、前記支軸を、ガラスを保持する枠部材の表面とガラス面の段差内に収容されるように配設してなることを特徴とする遮光装置。
【請求項２】
支軸を備えた支軸部材を、該支軸部材に形成した固定片を引き違い窓の上枠及び／又は下枠に粘着又は接着することにより配設してなることを特徴とする請求項１記載の遮光装置。
【請求項３】
遮光シートが、遮光シートの移動方向に光線透過率を異ならせたものからなることを特徴とする請求項１又は２記載の遮光装置。
【請求項４】
遮光シートが、遮光シートの移動方向に偏向方向が異なる２種類の偏向シートを配したものからなることを特徴とする請求項１又は２記載の遮光装置。
【請求項５】
支軸の長さを調節可能にしたことを特徴とする請求項１、２、３又は４記載の遮光装置。
【国際調査報告】
2012105007.tif 000011
2012105007.tif 000012